(57)【要約】【課題】  虫の被害を防止または軽減することができる、電気器具収容体を提供する。【解決手段】  電気器具収容体４は、電気器具２が収容可能な収容体本体Ｘとしての配線用ボックス６を備える。この配線用ボックス６は、底壁６ａおよびその底壁６ａから起立する側壁６ｂを有するとともに底壁６ａとは反対側の前面に開口６ｃを有する有底箱状に形成される。そして、電気器具収容体４は、虫が配線用ボックス６内に進入するのを防止し、または配線用ボックス６内に進入した虫をその配線用ボックス６内から追い払うべく、配線用ボックス６内に、虫に忌避行動を促す虫忌避成分を含有する虫忌避部７を有する虫忌避体８が配置されている。【選択図】  図１
2014143870.tif 000002
【特許請求の範囲】
【請求項１】
電気器具が配設される電気器具収容体であって、
底壁およびその底壁から起立する側壁を有するとともに前記底壁とは反対側の前面に開口を有する有底箱状に形成された、前記電気器具が収容可能な収容体本体を備え、
虫が前記収容体本体内に進入するのを防止し、または前記収容体本体内に進入した虫をその収容体本体内から追い払うべく、前記収容体本体の、少なくとも内側または内面に、虫に忌避行動を促す虫忌避成分を含有する虫忌避部を備える、電気器具収容体。
【請求項２】
前記収容体本体内における、前記電気器具の収容の障害とならない位置に、前記虫忌避部を有する虫忌避体が配置されてなる、請求項１に記載の電気器具収容体。
【請求項３】
前記収容体本体の内面に、前記虫忌避成分を含有する塗料が塗工されて、その塗工された塗工部が前記虫忌避部となる、請求項１に記載の電気器具収容体。
【請求項４】
前記収容体本体が、前記虫忌避成分を含有する材料により形成されて、前記収容体本体自身が前記虫忌避部となる、請求項１に記載の電気器具収容体。
【請求項５】
前記収容体本体の前端部分に、建物の壁の壁面に当接するための、側方に張り出すフランジ部が設けられる、請求項１ないし４のいずれか１項に記載の電気器具収容体。
【請求項６】
底壁およびその底壁から起立する側壁を有するとともに前記底壁とは反対側の前面に開口を有する有底箱状に形成された、電気器具が収容可能な収容体本体を備えて、前記電気器具が配設される電気器具収容体の、前記収容体本体内における、前記電気器具の収容の障害とならない位置に配置される、虫忌避体であって、
虫が前記収容体本体内に進入するのを防止し、または前記収容体本体内に進入した虫をその収容体本体内から追い払うべく、虫に忌避行動を促す虫忌避成分を含有する虫忌避部を有する、電気器具収容体用の虫忌避体。
【請求項７】
請求項１ないし５のいずれか１項に記載の電気器具収容体と、虫忌避シートと、電気器具とを備える、電気器具の設置構造であって、
前記虫忌避部を備えた前記電気器具収容体が、建物の壁の裏側に、前記開口にある前記電気器具収容体の開口部が前記壁に形成された貫通孔から前記壁の表側に臨むようにして設置され、
前記虫忌避シートが、虫に忌避行動を促す虫忌避成分を有して、前記貫通孔の壁裏側周縁に設置され、
前記電気器具が、前記壁の表側に面するとともに前記貫通孔および前記開口部から前記収容体本体内に収容されるように設置される、電気器具の設置構造。
【請求項８】
請求項５に記載の電気器具収容体と、電気器具とを備える、電気器具の設置構造であって、
前記虫忌避部を備えた前記電気器具収容体が、建物の壁に形成された貫通孔に前記壁の表側から挿通されて、前記フランジ部の裏面が前記貫通孔の壁表側周縁に当接するようにして設置され、
前記電気器具が、前記壁の表側に面するとともに前記開口にある前記電気器具収容体の開口部から前記収容体本体内に収容されるように設置される、電気器具の設置構造。
【請求項９】
請求項５に記載の電気器具収容体と、電気器具とを備える、電気器具の設置構造であって、
前記虫忌避部を備えた前記電気器具収容体が、建物の壁の裏側に、前記開口にある前記電気器具収容体の開口部が前記壁に形成された貫通孔から前記壁の表側に臨むようにして、かつ、前記フランジ部の前面が前記貫通孔の壁裏側周縁に当接するようにして設置され、
前記電気器具が、前記壁の表側に面するとともに前記貫通孔および前記開口部から前記収容体本体内に収容されるように設置される、電気器具の設置構造。
【発明の詳細な説明】
【技術分野】
【０００１】
この発明は、電気器具が配設される電気器具収容体、電気器具収容体用の虫忌避体、および電気器具の設置構造に関するものである。
【背景技術】
【０００２】
従来、例えばコンセントとかスイッチ等の電気器具を建物の壁に設置するにあたって、その電気器具を収容する電気器具収容体としての配線用ボックスを、壁の裏側に設置していた（例えば、特許文献１参照）。
【先行技術文献】
【特許文献】
【０００３】
【特許文献１】特開２００５−１２８７７号公報
【発明の概要】
【発明が解決しようとする課題】
【０００４】
しかし、前記従来の電気器具収容体としての配線用ボックスにあっては、電線が通る孔とか、自身を固定するための孔とかがあけられていたり、配線用ボックスと建物の壁との間に隙間が生じていたりして、それら孔や隙間から、害虫等の虫が、配線用ボックス内に進入する虞があった。特に、配線用ボックス内には電気器具が配設されることから、内部の温度が高くなり、この配線用ボックスが虫の棲家となる虞があった。また、この進入した虫自身や虫の糞によって、電気器具がショートする虞もあり、その対策が望まれた。
【０００５】
この発明は、上記した従来の欠点を解決するためになされたものであり、その目的とするところは、虫の被害を防止または軽減することができる、電気器具収容体、電気器具収容体用の虫忌避体、および電気器具の設置構造を提供することにある。
【課題を解決するための手段】
【０００６】
この発明に係る電気器具収容体、電気器具収容体用の虫忌避体、および電気器具の設置構造は、前記目的を達成するために、次の構成からなる。すなわち、
請求項１に記載の発明に係る電気器具収容体は、電気器具が配設される電気器具収容体であって、前記電気器具が収容可能な収容体本体を備える。この収容体本体は、底壁およびその底壁から起立する側壁を有するとともに前記底壁とは反対側の前面に開口を有する有底箱状に形成される。そして、電気器具収容体は、虫が前記収容体本体内に進入するのを防止し、または前記収容体本体内に進入した虫をその収容体本体内から追い払うべく、前記収容体本体の、少なくとも内側または内面に、虫に忌避行動を促す虫忌避成分を含有する虫忌避部を備える。
【０００７】
この電気器具収容体によると、有底箱状に形成された収容体本体内に電気器具が収容されるようにして、この電気器具は、電気器具収容体に配設される。ここにおいて、電気器具収容体は、収容体本体の、少なくとも内側または内面に、虫忌避成分を含有する虫忌避部を備えており、これによって、虫が収容体本体内に進入するのを防止したり、収容体本体内に進入した虫をその収容体本体内から追い払うことができる。したがって、虫が収容体本体内に留まることはなく、虫の被害が防止または軽減される。
【０００８】
また、請求項２に記載の発明に係る電気器具収容体は、請求項１に記載の電気器具収容体において、前記収容体本体内における、前記電気器具の収容の障害とならない位置に、前記虫忌避部を有する虫忌避体が配置されてなる。こうして、電気器具収容体が、収容体本体とは別に、虫忌避部を有する虫忌避体を備えることで、順次、虫忌避体を交換したり追加したりすることができる。また、既存の設備に対して、この虫忌避体を設けることもできる。
【０００９】
また、請求項３に記載の発明に係る電気器具収容体は、請求項１に記載の電気器具収容体において、前記収容体本体の内面に、前記虫忌避成分を含有する塗料が塗工されて、その塗工された塗工部が前記虫忌避部となる。こうして、収容体本体の内面に、虫忌避成分を含有する塗料が塗工されることで、虫忌避部を、収容体本体とは別に設ける必要がない。
【００１０】
また、請求項４に記載の発明に係る電気器具収容体は、請求項１に記載の電気器具収容体において、前記収容体本体が、前記虫忌避成分を含有する材料により形成されて、前記収容体本体自身が前記虫忌避部となる。こうして、収容体本体が、虫忌避成分を含有する材料により形成されることで、虫忌避部を、収容体本体とは別に設ける必要がない。
【００１１】
また、請求項５に記載の発明に係る電気器具収容体は、請求項１ないし４のいずれか１項に記載の電気器具収容体において、前記収容体本体の前端部分に、建物の壁の壁面に当接するための、側方に張り出すフランジ部が設けられる。これにより、収容体本体に設けられたフランジ部を、壁面に当接させるようにして、電気器具収容体を設置することで、虫が壁面とフランジ部との間を通るのを防ぐことができる。
【００１２】
また、請求項６に記載の発明に係る電気器具収容体用の虫忌避体は、底壁およびその底壁から起立する側壁を有するとともに前記底壁とは反対側の前面に開口を有する有底箱状に形成された、電気器具が収容可能な収容体本体を備えて、前記電気器具が配設される電気器具収容体の、前記収容体本体内における、前記電気器具の収容の障害とならない位置に配置される、虫忌避体である。この虫忌避体は、虫が前記収容体本体内に進入するのを防止し、または前記収容体本体内に進入した虫をその収容体本体内から追い払うべく、虫に忌避行動を促す虫忌避成分を含有する虫忌避部を有する。
【００１３】
この虫忌避体によると、この虫忌避体は、電気器具が配設される電気器具収容体の、収容体本体内における、電気器具の収容の障害とならない位置に配置される。ここで、虫忌避体は、虫に忌避行動を促す虫忌避成分を含有する虫忌避部を有している。これによって、虫が収容体本体内に進入するのを防止したり、収容体本体内に進入した虫をその収容体本体内から追い払うことができる。したがって、虫が収容体本体内に留まることはなく、虫の被害が防止または軽減される。
【００１４】
また、請求項７に記載の発明に係る電気器具の設置構造は、請求項１ないし５のいずれか１項に記載の電気器具収容体と、虫忌避シートと、電気器具とを備える。ここで、前記虫忌避部を備えた前記電気器具収容体が、建物の壁の裏側に、前記開口にある前記電気器具収容体の開口部が前記壁に形成された貫通孔から前記壁の表側に臨むようにして設置される。そして、前記虫忌避シートが、虫に忌避行動を促す虫忌避成分を有して、前記貫通孔の壁裏側周縁に設置される。さらに、前記電気器具が、前記壁の表側に面するとともに前記貫通孔および前記開口部から前記収容体本体内に収容されるように設置される。こうして、虫忌避部とは別に、虫忌避シートを、壁に形成された貫通孔の壁裏側周縁に設置することで、虫が壁の裏側面と電気器具収容体との間から収容体本体内に進入するのを防ぐことができる。
【００１５】
また、請求項８に記載の発明に係る電気器具の設置構造は、請求項５に記載の電気器具収容体と、電気器具とを備える。ここで、前記虫忌避部を備えた前記電気器具収容体が、建物の壁に形成された貫通孔に前記壁の表側から挿通されて、前記フランジ部の裏面が前記貫通孔の壁表側周縁に当接するようにして設置される。そして、前記電気器具が、前記壁の表側に面するとともに前記開口にある前記電気器具収容体の開口部から前記収容体本体内に収容されるように設置される。こうして、収容体本体の前端部分に設けられたフランジ部の裏面が、壁に形成された貫通孔の壁表側周縁に当接することで、虫が壁の表側面とフランジ部との間から壁の裏側に進入するのを防ぐことができる。
【００１６】
また、請求項９に記載の発明に係る電気器具の設置構造は、請求項５に記載の電気器具収容体と、電気器具とを備える。ここで、前記虫忌避部を備えた前記電気器具収容体が、建物の壁の裏側に、前記開口にある前記電気器具収容体の開口部が前記壁に形成された貫通孔から前記壁の表側に臨むようにして、かつ、前記フランジ部の前面が前記貫通孔の壁裏側周縁に当接するようにして設置される。そして、前記電気器具が、前記壁の表側に面するとともに前記貫通孔および前記開口部から前記収容体本体内に収容されるように設置される。こうして、収容体本体の前端部分に設けられたフランジ部の前面が、壁に形成された貫通孔の壁裏側周縁に当接することで、虫が壁の裏側面とフランジ部との間から収容体本体内に進入するのを防ぐことができる。
【発明の効果】
【００１７】
この発明に係る電気器具収容体、電気器具収容体用の虫忌避体、および電気器具の設置構造によれば、虫忌避成分を含有する虫忌避部を設けることで、電気器具収容体における、虫の被害を防止または軽減することができる。
【図面の簡単な説明】
【００１８】
【図１】この発明の第一の実施の形態の、縦断面図である。
【図２】同じく、収容体本体の正面図である。
【図３】同じく、収容体本体の一部を破断した側面図である。
【図４】同じく、虫忌避体の正面図である。
【図５】同じく、虫忌避体の一部を破断した側面図である。
【図６】この発明の第二の実施の形態の、縦断面図である。
【図７】同じく、虫忌避体の正面図である。
【図８】この発明の第三の実施の形態の、縦断面図である。
【図９】同じく、虫忌避体の正面図である。
【図１０】同じく、虫忌避体の一部を破断した側面図である。
【図１１】この発明の第四の実施の形態の、縦断面図である。
【図１２】この発明の第五の実施の形態の、縦断面図である。
【発明を実施するための形態】
【００１９】
以下、この発明に係る電気器具収容体、電気器具収容体用の虫忌避体、および電気器具の設置構造を実施するための形態を図面に基づいて説明する。
【００２０】
図１〜図５は、本発明の第一の実施の形態を示す。図中符号１は、建物の壁を示す。２は、コンセントとかスイッチ、その他の電気器具を示す。３は、その電気器具２を保持する保持材としての保持パネルを示す。４は、前記電気器具２が配設される電気器具収容体を示す。５は、電気器具２の設置構造を示す。
【００２１】
保持パネル３は、板状に形成されており、その板の表裏を貫通するようにして電気器具２が、保持パネル３に取り付けられる。そして、保持パネル３は、例えば上下の各側に、ビス２１が挿通される孔３ａがあけられている。
【００２２】
電気器具収容体４は、電気器具２が収容可能な収容体本体Ｘを備える。この収容体本体Ｘは、底壁Ｘ１およびその底壁Ｘ１から起立する側壁Ｘ２を有するとともに底壁Ｘ１とは反対側の前面に開口Ｘ３を有する有底箱状に形成されている。そして、電気器具収容体４は、害虫等の虫が収容体本体Ｘ内に進入するのを防止し、または収容体本体Ｘ内に進入した虫をその収容体本体Ｘ内から追い払うべく、収容体本体Ｘの、少なくとも内側または内面に、虫に忌避行動を促す虫忌避成分を含有する虫忌避部７を備える。詳細には、電気器具収容体４は、収容体本体Ｘ内における、電気器具２の収容の障害とならない位置に、前記虫忌避部７を有する虫忌避体８が配置されてなる。
【００２３】
ここで、電気器具２の設置構造５について説明する。この設置構造５は、前記電気器具収容体４と、虫忌避シート９と、前記電気器具２とを備えている。図示実施の形態においては、虫忌避部７（詳しくは、虫忌避体８）を備えた電気器具収容体４は、建物の壁１の裏側Ｓ２に、収容体本体Ｘの開口Ｘ３にある電気器具収容体４の開口部４ｚ（図示実施の形態においては、開口Ｘ３そのもの）が壁１に形成された貫通孔１ａから壁１の表側Ｓ１に臨むようにして設置される。そして、虫忌避シート９が、虫に忌避行動を促す虫忌避成分を有して、壁１に形成された貫通孔１ａの壁裏側周縁１ｂ（つまり、貫通孔１ａ周りの壁１の裏側面１ｃ）に設置される。そして、電気器具２が、壁１の表側Ｓ１に面するとともに前記貫通孔１ａおよび開口部４ｚから収容体本体Ｘ内に収容されるように設置される。
【００２４】
具体的には、収容体本体Ｘは、配線用ボックス６からなる。すなわち、この配線用ボックス６は、底壁６ａ（Ｘ１）およびその底壁６ａ（Ｘ１）から起立する側壁６ｂ（Ｘ２）を有するとともに底壁６ａ（Ｘ１）とは反対側の前面に開口６ｃ（Ｘ３）を有する有底箱状に形成されて、内部に電気器具２が収容可能となっている。この配線用ボックス６は、例えば、合成樹脂製であって、直方体形状をしている。この配線用ボックス６には、電線が通るための孔やノックアウト、そして自身を固定するための孔（つまり、固定するためのビス等の固着具が通る孔）が、適宜位置に設けられている。また、この配線用ボックス６には、電気器具２を固定するための固定部６ｄが設けられている。この固定部６ｄは、配線用ボックス６における、例えば上下の各側において、配線用ボックス６の側壁６ｂから内側に突出するようにして形成されている。そして、この固定部６ｄは、前述のビス２１がねじ込まれる螺合部を有しており、図示実施の形態においては、螺合部は、固定部６ｄに埋設されるナット６ｅからなる。
【００２５】
虫忌避体８は、板状に形成されて、配線用ボックス６の内側において底壁６ａに重なるように配置される。詳細には、虫忌避体８は、底壁６ａのほぼ内面全体を覆うように配置される。より詳細には、虫忌避体８は、底壁６ａの形状に合うように、矩形形状（詳しくは、長方形形状）に形成されるとともに、固定部６ｄと干渉しないように、上下の各側に凹部８ａが設けられている。また、この虫忌避体８は、その外周（図示実施の形態においては、全外周）から底壁６ａ側に折れ曲がるようにして、周縁リブ８ｂが設けられている。こうして、虫忌避体８は、この周縁リブ８ｂによって、裏側が窪んだ形状となり、その窪みにより、底壁６ａから突出する突起６ｆを逃がして、この虫忌避体８を、配線用ボックス６の底壁６ａ部分に安定して配置することができる。
【００２６】
また、この虫忌避体８は、虫忌避体８の表面（前面または裏面、あるいはその両方の面）に、虫忌避成分を含有する塗料が塗工されて、その塗工された塗工部が前述した虫忌避部７となっている。もっとも、虫忌避体８は、虫忌避成分を含有する材料により形成されて、その虫忌避体８自身が前述した虫忌避部７となっても構わない。
【００２７】
虫忌避シート９は、平板枠状に形成されて、貫通孔１ａ周りを囲むようにして、その貫通孔１ａの壁裏側周縁１ｂに設置される。図示実施の形態においては、虫忌避シート９は、壁１の裏側面１ｃと配線用ボックス６における側壁６ｂの先端面との間に設置される。このとき、虫忌避シート９は、例えば、壁１あるいは配線用ボックス６に貼り付けられることで固定されるが、その固定手段は特に問わない。
【００２８】
また、この虫忌避シート９は、虫忌避シート９の表面（一方の面、あるいは両方の面）に、虫忌避成分を含有する塗料が塗工されて形成されるが、その他に、虫忌避成分を含有する材料により形成されても構わない。
【００２９】
そこで、配線用ボックス６（ひいては、電気器具収容体４）は、壁１の裏側Ｓ２において、柱とか横木等（図示せず）に固定されて設置される。そして、この配線用ボックス６（ひいては、電気器具収容体４）に対し、壁１の表側Ｓ１から、電気器具２が取り付けられた保持パネル３が取り付けられる。詳細には、取付け用のビス２１が、保持パネル３の孔３ａを通って、配線用ボックス６における固定部６ｄ（詳しくは、ナット６ｅ）にねじ込まれる。こうして、電気器具２は、保持パネル３を介して、配線用ボックス６（ひいては、電気器具収容体４）に取り付けられ、この電気器具２は、前述したように、壁１の表側Ｓ１に面するとともに壁１の貫通孔１ａおよび電気器具収容体４の開口部４ｚ（図示実施の形態においては、配線用ボックス６の開口６ｃそのもの）からその配線用ボックス６内に収容されるように設置される。
【００３０】
ところで、虫忌避部７（虫忌避体８）とか虫忌避シート９における、虫忌避成分としては、例えば、ピレスロイド系剤、有機リン剤、カーバメイト剤、ホウ素化合物、フッ素化合物などが挙げられる。
【００３１】
次に、以上の構成からなる電気器具収容体４、電気器具収容体４用の虫忌避体８、および電気器具２の設置構造５の作用効果について説明する。電気器具収容体４は、有底箱状に形成された配線用ボックス６（収容体本体Ｘ）を備えており、その配線用ボックス６（収容体本体Ｘ）内に電気器具２が収容されるようにして、電気器具２は、電気器具収容体４に配設される。ここにおいて、電気器具収容体４は、配線用ボックス６（収容体本体Ｘ）の、少なくとも内側または内面に（図示実施の形態においては、内側に）、虫忌避成分を含有する虫忌避部７（図示実施の形態においては、その虫忌避部７を有する虫忌避体８）を備えており、これによって、虫が配線用ボックス６（収容体本体Ｘ）内に進入するのを防止したり、配線用ボックス６（収容体本体Ｘ）内に進入した虫をその配線用ボックス６（収容体本体Ｘ）内から追い払うことができる。したがって、虫が配線用ボックス６（収容体本体Ｘ）内に留まることはなく、虫の被害（配線用ボックス６（収容体本体Ｘ）、ひいては電気器具収容体４が虫の棲家となったりする等）が防止または軽減される。すなわち、虫忌避成分を含有する虫忌避部７を設けることで、電気器具収容体４における、虫の被害を防止または軽減することができる。
【００３２】
また、電気器具収容体４は、配線用ボックス６（収容体本体Ｘ）とは別に、虫忌避部７を有する虫忌避体８を備えている。これにより、順次、虫忌避体８を交換したり追加したりすることができる。また、既存の設備に対して、この虫忌避体８を設けることもできる。
【００３３】
また、図示実施の形態においては、虫忌避体８は、配線用ボックス６（収容体本体Ｘ）の内側において底壁６ａ（Ｘ１）に重なるように配置されて、上下方向に延びることから、埃が付き難く、その埃によって忌避の効果が薄れるようなことがない。
【００３４】
また、設置構造５においては、虫忌避部７（虫忌避体８）とは別に、虫忌避シート９が設けられる。そして、この虫忌避シート９を、壁１に形成された貫通孔１ａの壁裏側周縁１ｂに設置することで、虫が壁１の裏側面１ｃと電気器具収容体４との間から配線用ボックス６（収容体本体Ｘ）内に進入するのを防ぐことができる。こうして、虫忌避部７（虫忌避体８）に加えて、虫忌避シート９を設けることで、電気器具収容体４における、虫の被害を的確に防止または軽減することができる。
【００３５】
図６〜図７は、本発明の第二の実施の形態を示す。この実施の形態は、第一の実施の形態とは、電気器具収容体４に被探知部１０が設けられる点、虫忌避体８にスリット８ｃが設けられる点、虫忌避シート９を使用しない点が異なるが、他はほぼ同様であり、以下に、同様の部位には同一の符号を付して、異なる部分を主に説明する。
【００３６】
電気器具収容体４においては、配線用ボックス６（収容体本体Ｘ）における底壁６ａ（Ｘ１）から前方に突出するようにして被探知部１０が設けられる。この被探知部１０は、先端部分に、例えばマグネットからなる被探知体１０ａを有している。そこで、壁１に貫通孔１ａをあける際には、この被探知体１０ａを壁１の表側Ｓ１から探知することで、電気器具収容体４の位置（つまり、貫通孔１ａをあけるべき位置）を知ることができる。
【００３７】
虫忌避体８は、被探知部１０に対応する位置に、放射状のスリット８ｃ、８ｃが設けられている。そして、これらスリット８ｃ、８ｃによって分割された分割片８ｄ、８ｄを起こすことで、孔が形成され、その孔に被探知部１０が挿入される。この被探知部１０は、電気器具２を配線用ボックス６（収容体本体Ｘ）内に収容する前に、除去されるが、それに合わせて、虫忌避体８の起こされた分割片８ｄは、元の状態に戻される。もっとも、虫忌避体８には、スリット８ｃが設けられるのではなく、始めから、被探知部１０が挿入される孔が設けられていてもよい。また、この第二の実施の形態においては、虫忌避シート９が設けられていないが、第一の実施の形態と同様に、虫忌避シート９を設けてもよい。
【００３８】
図８〜図１０は、本発明の第三の実施の形態を示す。この実施の形態は、第一の実施の形態とは、虫忌避シート９が設けられない点、虫忌避体８の形状が異なる点が異なるが、他はほぼ同様であり、以下に、同様の部位には同一の符号を付して、異なる部分を主に説明する。
【００３９】
虫忌避体８は、底壁８ｆおよびその底壁８ｆから起立する側壁８ｇを有する本体部８ｋ
を備えるとともに、底壁８ｆとは反対側の前面に開口８ｈを有する有底箱状に形成されている。この虫忌避体８は、電気器具収容体４における配線用ボックス６（収容体本体Ｘ）内の気密性を高めるためのものでもあり、その本体部８ｋは、配線用ボックス６（収容体本体Ｘ）の内側に挿入され、その挿入された本体部８ｋ内に電気器具２が収容される。なお、この虫忌避体８は、例えば合成樹脂製であって薄肉に形成されており、適宜位置に、電線が通るための孔を、簡単にあけることができる。
【００４０】
また、虫忌避体８には、その前端部分に、建物の壁１の壁面（図示実施の形態においては、壁１の表側面１ｄ）に当接するための、側方に張り出すフランジ部８ｉが設けられている。そして、フランジ部８ｉの裏面には、予め両面粘着テープ８ｊが貼り付けられている。
【００４１】
この虫忌避体８は、虫忌避体８の表面（内面または外面、あるいはその両方の面）に、虫忌避成分を含有する塗料が塗工されて、その塗工された塗工部が虫忌避部７となるが、その他に、虫忌避成分を含有する材料により形成されて、その虫忌避体８自身が虫忌避部７となっても構わない。
【００４２】
そこで、虫忌避体８は、貫通孔１ａに壁１の表側Ｓ１から挿通されて、その本体部８ｋが配線用ボックス６（収容体本体Ｘ）内に収容され、フランジ部８ｉの裏面が貫通孔１ａの壁表側周縁１ｅ（つまり、貫通孔１ａ周りの壁１の表側面１ｄ）に当接するようにして設置される。この際、フランジ部８ｉが、その裏面の両面粘着テープ８ｊにより壁１の表側面１ｄに貼り付けられることで、この虫忌避体８は、所定の位置に固定される。そして、電気器具２が、壁１の表側Ｓ１に面するとともに配線用ボックス６の開口６ｃにある電気器具収容体４の開口部４ｚ（図示実施の形態においては、虫忌避体８の開口８ｈ）から配線用ボックス６内（詳しくは、虫忌避体８内）に収容されるように設置される。
【００４３】
この電気器具収容体４によると、第一の実施の形態による作用効果（虫忌避シート９による作用効果を除く。）に加えて、有底箱状の虫忌避体８によって、配線用ボックス６（収容体本体Ｘ）内（詳しくは、虫忌避体８内）の気密性を高めることができる。
【００４４】
図１１は、本発明の第四の実施の形態を示す。この実施の形態は、第一の実施の形態とは、虫忌避シート９が設けられない点、収容体本体Ｘは、配線用ボックス６ではなくその配線用ボックス６を覆う気密カバー１２からなる点が異なるが、他はほぼ同様であり、以下に、同様の部位には同一の符号を付して、異なる部分を主に説明する。
【００４５】
電気器具収容体４は、配線用ボックス６の他に、配線用ボックス６の外面側を覆う（詳しくは、底壁６ａおよび側壁６ｂを外から覆う）、収容体本体Ｘとしての気密カバー１２を備えている。すなわち、この気密カバー１２は、底壁１２ａ（Ｘ１）およびその底壁１２ａ（Ｘ１）から起立する側壁１２ｂ（Ｘ２）を有するとともに底壁１２ａ（Ｘ１）とは反対側の前面に開口１２ｃ（Ｘ３）を有する有底箱状に形成されて、内部に（詳しくは、気密カバー１２の内部であって配線用ボックス６の内部に）電気器具２が収容可能となっている。
【００４６】
この気密カバー１２は、内部の気密性を高めるためのものであり、気密カバー１２の前端部分には、建物の壁１の壁面（図示実施の形態においては、壁１の裏側面１ｃ）に当接するための、側方に張り出すフランジ部１１が設けられる。図示実施の形態においては、このフランジ部１１は、気密カバー１２と一体に形成され、そして、気密カバー１２の全周に渡って設けられる。
【００４７】
そして、この気密カバー１２の内面に、虫忌避成分を含有する塗料が塗工されて、その塗工された塗工部が、電気器具収容体４が備える虫忌避部７となる。もっとも、気密カバー１２が、虫忌避成分を含有する材料により形成されて、その気密カバー１２自身が虫忌避部７となってもよい。
【００４８】
また、この気密カバー１２は、ゴム等の軟質材料からなり、このため、電線が通るための孔や、配線用ボックス６および気密カバー１２を固定するための孔（つまり、固定するためのビス等の固着具が通る孔）を、簡単にあけることができる。
【００４９】
ここにおいて、電気器具２の設置構造５は、電気器具収容体４と、電気器具２とを備えている。そこで、虫忌避部７を備えた電気器具収容体４が、建物の壁１の裏側Ｓ２に、気密カバー１２の開口１２ｃにある電気具収容体４の開口部４ｚ（図示実施の形態においては、配線用ボックス６の開口６ｃ）が壁１に形成された貫通孔１ａから壁１の表側Ｓ１に臨むようにして、かつ、フランジ部１１の前面が貫通孔１ａの壁裏側周縁１ｂ（つまり、貫通孔１ａ周りの壁１の裏側面１ｃ）に当接するようにして設置される。そして、電気器具２が壁１の表側Ｓ１に面するとともに貫通孔１ａおよび前記開口部４ｚからその気密カバー１２内（詳しくは、配線用ボックス６内）に収容されるように設置される。
【００５０】
この電気器具収容体４とか設置構造５によると、第一の実施の形態による作用効果（虫忌避シート９による作用効果を除く。）に加えて、気密カバー１２が設けられることで、内部の気密性を高めることができる。そして、気密カバー１２（収容体本体Ｘ）に設けられたフランジ部１１を、壁１の壁面に当接させるようにして、電気器具収容体４を設置することで、虫が壁１の壁面とフランジ部１１との間を通るのを防ぐことができる。詳細には、気密カバー１２の前端部分に設けられたフランジ部１１の前面が、壁１に形成された貫通孔１ａの壁裏側周縁１ｂに当接することで、虫が壁１の裏側面１ｃとフランジ部１１との間から気密カバー１２内（つまりは、配線用ボックス６内）に進入するのを防ぐことができる。
【００５１】
図１２は、本発明の第五の実施の形態を示す。この実施の形態は、第一の実施の形態とは、虫忌避シート９が設けられない点、配線用ボックス６（収容体本体Ｘ）の前端部分にフランジ部１１が設けられる点、電気器具収容体４が壁１の表側Ｓ１から貫通孔１ａに挿通される点が異なるが、他はほぼ同様であり、以下に、同様の部位には同一の符号を付して、異なる部分を主に説明する。
【００５２】
電気器具収容体４は、その収容体本体Ｘとしての配線用ボックス６の前端部分に、建物の壁１の壁面（図示実施の形態においては、壁１の表側面１ｄ）に当接するための、側方に張り出すフランジ部１１が設けられている。図示実施の形態においては、このフランジ部１１は、配線用ボックス６と一体に形成され、そして、配線用ボックス６の全周に渡って設けられる。
【００５３】
ここにおいて、電気器具２の設置構造５は、電気器具収容体４と、電気器具２とを備えている。そこで、虫忌避部７を備えた電気器具収容体４が、建物の壁１に形成された貫通孔１ａに壁１の表側Ｓ１から挿通されて、前記フランジ部１１の裏面が貫通孔１ａの壁表側周縁１ｅ（つまり、貫通孔１ａ周りの壁１の表側面１ｄ）に当接するようにして設置される。そして、電気器具２が、壁１の表側Ｓ１に面するとともに配線用ボックス６の開口６ｃにある電気器具収容体４の開口部４ｚ（図示実施の形態においては、開口６ｃそのもの）からその配線用ボックス６内に収容されるように設置される。
【００５４】
図示実施の形態においては、電気器具収容体４は、自身を壁１に固定するための、固定ビス４ａ、および固定部材４ｂを有している。ここにおいて、固定ビス４ａは、フランジ部１１に設けられた通孔１１ａを通り、固定部材４ｂに螺合している。そこで、壁１の表側Ｓ１から固定ビス４ａを回動することで、固定部材４ｂが引き込まれて壁１の裏側面１ｃを圧接する。こうして、フランジ部１１と固定部材４ｂとで、壁１を挟み込むことができ、電気器具収容体４は、壁１に固定される。
【００５５】
この電気器具収容体４とか設置構造５によると、第一の実施の形態による作用効果（虫忌避シート９による作用効果を除く。）に加えて、配線用ボックス６（収容体本体Ｘ）に設けられたフランジ部１１を、壁１の壁面に当接させるようにして、電気器具収容体４を設置することで、虫が壁１の壁面とフランジ部１１との間を通るのを防ぐことができる。詳細には、配線用ボックス６の前端部分に設けられたフランジ部１１の裏面が、壁１に形成された貫通孔１ａの壁表側周縁１ｅに当接することで、虫が壁１の表側面１ｄとフランジ部１１との間から壁１の裏側Ｓ２に進入するのを防ぐことができる。
【００５６】
なお、本発明は、上述した実施の形態に限定されるわけではなく、その他種々の変更が可能である。例えば、電気器具収容体４に配設される電気器具２は、コンセントとかスイッチ等の配線器具でなくとも、警報器とか足元灯、その他の電気器具であってもよい。また、電気器具収容体４は、壁１の裏側Ｓ２に配置されるものでなくとも、壁１の表側Ｓ１に配置されるものであってもよく、さらには、屋外において支柱等に固定されるものであってもよい。
【００５７】
また、第四の実施の形態（図１１参照）を除く実施の形態において、虫忌避部７は、虫忌避体８に設けられなくとも（つまり、電気器具収容体４が虫忌避体８を備えなくとも）、配線用ボックス６（収容体本体Ｘ）の内面に、虫忌避成分を含有する塗料が塗工されて、その塗工された塗工部が虫忌避部７となってもよく、また、配線用ボックス６（収容体本体Ｘ）が、虫忌避成分を含有する材料により形成されて、配線用ボックス６（収容体本体Ｘ）自身が虫忌避部７となってもよい。そして、第四の実施の形態（図１１参照）を含めて、収容体本体Ｘが、虫忌避成分を含有する材料により形成されたり、収容体本体Ｘの内面に、虫忌避成分を含有する塗料が塗工されたりすることで、虫忌避部７を、収容体本体Ｘとは別に設ける必要がない。つまり、別体となる虫忌避体８を設ける必要がなく、収容体本体Ｘ内を、電気器具２の収容空間として有効に活用することができる。
【００５８】
また、第一の実施の形態においては、壁１に形成された貫通孔１ａの壁裏側周縁１ｂには、虫忌避シート９が設置されているが、この虫忌避シート９は、設置されなくともよい。
【００５９】
また、第三の実施の形態（図８〜図１０参照）においては、電気器具収容体４は、配線用ボックス６（収容体本体Ｘ）と、有底箱状の虫忌避体８とを備える構成となっているが、この虫忌避体８を、収容体本体Ｘとして見ることもできる。そして、この収容体本体Ｘとみなされる虫忌避体８は、その虫忌避体８の内面に、虫忌避成分を含有する塗料が塗工されて、その塗工された塗工部が虫忌避部７となったり、虫忌避成分を含有する材料により形成されて、その虫忌避体８自身が虫忌避部７となったりする。そして、この場合には、配線用ボックス６は、なくともよい。
【００６０】
また、第四の実施の形態（図１１参照）において、収容体本体Ｘとしての気密カバー１２が、虫忌避成分を含有する材料により形成されたり、気密カバー１２の内面に、虫忌避成分を含有する塗料が塗工されたりしなくとも、第一の実施の形態と同様に、配線用ボックス６内に（したがって、気密カバー１２内に）、虫忌避部７を有する虫忌避体８が配置されてもよい。
【００６１】
また、以上に示す各構成部分を、この発明の趣旨を逸脱しない範囲で適宜組み合わせることができるのは勿論である。
【符号の説明】
【００６２】
１  壁
１ａ  貫通孔
１ｂ  壁裏側周縁
１ｅ  壁表側周縁
２  電気器具
４  電気器具収容体
４ｚ  開口部
５  設置構造
６  配線用ボックス
６ａ  底壁
６ｂ  側壁
６ｃ  開口
７  虫忌避部
８  虫忌避体
９  虫忌避シート
１１  フランジ部
１２  気密カバー
１２ａ  底壁
１２ｂ  側壁
１２ｃ  開口
Ｓ１  壁の表側
Ｓ２  壁の裏側
Ｘ  収容体本体
Ｘ１  底壁
Ｘ２  側壁
Ｘ３  開口
【図１】
2014143870.tif 000003
【図２】
2014143870.tif 000004
【図３】
2014143870.tif 000005
【図４】
2014143870.tif 000006
【図５】
2014143870.tif 000007
【図６】
2014143870.tif 000008
【図７】
2014143870.tif 000009
【図８】
2014143870.tif 000010
【図９】
2014143870.tif 000011
【図１０】
2014143870.tif 000012
【図１１】
2014143870.tif 000013
【図１２】
2014143870.tif 000014